(57)【要約】  空気調和機の室外機は、筐体と、筐体の内部に設けられる熱交換器と、筐体の内部に設けられる電気品箱と、筐体の内部を第１室と第２室とを区画するセパレータと、を有する。セパレータは熱交換器の前面に配置されている。第１室と第２室は室外機の前面視で横方向に並んでいる。電気品箱は、熱交換器の前面、かつセパレータの上方に配置されている。室外機は、電気品箱に配置され、熱交換器に対する上下方向及び前後方向における電気品箱の配置位置を決める第１位置決め部材と、電気品箱の底面に設けられ、セパレータに対する横方向における電気品箱の位置を決める第２位置決め部材とを有している。
2020208675.tif 000002
【特許請求の範囲】
【請求項１】
筐体と、前記筐体の内部に設けられる熱交換器と、前記筐体の内部に設けられる電気品箱と、前記筐体の内部を第１室と第２室とを区画するセパレータと、を有する空気調和機の室外機であって、
前記セパレータは前記熱交換器の前面に配置され、
前記第１室と前記第２室は前記室外機の前面視で横方向に並んでおり、
前記電気品箱は、前記熱交換器の前面、かつ前記セパレータの上方に配置されており、
前記電気品箱に配置され、前記熱交換器に対する上下方向及び前後方向における前記電気品箱の配置位置を決める第１位置決め部材と、
前記電気品箱の底面に設けられ、前記セパレータに対する前記横方向における前記電気品箱の位置を決める第２位置決め部材とを有している空気調和機の室外機。
【請求項２】
前記電気品箱は前記セパレータの上端部に載置されている請求項１に記載の空気調和機の室外機。
【請求項３】
前記第１位置決め部材は、
前記電気品箱の天面に当接し、前記前後方向に沿って延びる第１板部と、前記第１板部と交差し、下方向に延びる第２板部とを有し、
前記電気品箱と前記第２板部とにより前記熱交換器の上端部が挟持されている請求項１又は２に記載の空気調和機の室外機。
【請求項４】
前記第２位置決め部材は、前記電気品箱の底面から下方向に向かって突出した板状部材であり、
前記第２位置決め部材は、前記セパレータに当接している請求項１〜３のいずれか一項に記載の空気調和機の室外機。
【請求項５】
前記第２位置決め部材は、前記電気品箱の前記底面において、前記電気品箱の背面よりも前記電気品箱の前面に近い側に形成されている請求項４に記載の空気調和機の室外機。
【請求項６】
前記第２位置決め部材と前記セパレータは一方が他方に係止している請求項５に記載の空気調和機の室外機。
【請求項７】
前記第２位置決め部材に開口部が形成され、前記セパレータに爪が設けられ、前記爪が前記開口部に係止している請求項６に記載の空気調和機の室外機。
【発明の詳細な説明】
【技術分野】
【０００１】
本発明は、空気調和機の室外機に関するものであり、電気品箱の位置決め構造に関するものである。
【背景技術】
【０００２】
従来、空気調和機の室外機の内部は、セパレータにより風路室と機械室とに仕切られている。風路室にはファンが配置され、機械室には圧縮機が配置されている。また、室外機は、空気調和機の室内機との通信を行うための通信基板、及び室外機の各部品の制御を行うための制御基板が収容された電気品箱を有している。ファン及び圧縮機は、室外機の底面に配置されるベースプレートに載置され、電気品箱は室外機の上部に配置される。【０００３】
室外機には、電気品箱の背面側に爪を設け、この爪を熱交換器のプレートに形成されている窓部に引っ掛けることにより、電気品箱を固定するタイプのものがある。また、特許文献１には、電気品箱である電装ボックスに舌片部を設け、熱交換器において室外機の背面側に位置する個所にこの舌片部を介して電装ボックスを固定するタイプの室外機が記載されている。
【先行技術文献】
【特許文献】
【０００４】
【特許文献１】特開平１１−２４８１９９号公報
【発明の概要】
【発明が解決しようとする課題】
【０００５】
電気品箱を配置する際、電気品箱の背面側に設けられた固定機構により電気品箱が固定されるよう、電気品箱を位置決めする必要がある。すなわち、作業者は、電気品箱を手で支持しつつ、電気品箱の配置位置を探ることになる。電気品箱には通信基板及び制御基板が収容されており、手で安定して支持することが容易には行えない重量を電気品箱は有している。そのため、上述のいずれのタイプの室外機においても、作業者は、電気品箱を配置すべき位置を探らなければならず、電気品箱の位置決めの作業性において課題があった。【０００６】
本発明は、上記のような課題を解決するためになされたものであり、電気品箱の位置決めの作業性が向上した空気調和機の室外機を提供することを目的とする。
【課題を解決するための手段】
【０００７】
本発明に係る空気調和機の室外機は、筐体と、前記筐体の内部に設けられる熱交換器と、前記筐体の内部に設けられる電気品箱と、前記筐体の内部を第１室と第２室とを区画するセパレータと、を有する空気調和機の室外機であって、前記セパレータは前記熱交換器の前面に配置され、前記第１室と前記第２室は前記室外機の前面視で横方向に並んでおり、前記電気品箱は、前記熱交換器の前面、かつ前記セパレータの上方に配置されており、前記電気品箱に配置され、前記熱交換器に対する上下方向及び前後方向における前記電気品箱の配置位置を決める第１位置決め部材と、前記電気品箱の底面に設けられ、前記セパレータに対する前記横方向における前記電気品箱の位置を決める第２位置決め部材とを有しているものである。
【発明の効果】
【０００８】
本発明に係る空気調和機の室外機によれば、第１位置決め部により、熱交換器に対する上下方向及び前後方向における電気品箱の配置位置が決まり、第２位置決め部材により、セパレータに対する横方向における電気品箱の配置位置が決まる。すなわち、電気品箱の位置決めの精度が向上する。従って、電気品箱を室外機に配置する際の作業性が向上する。
【図面の簡単な説明】
【０００９】
【図１】実施の形態１に係る空気調和機の室外機の斜視図である。
【図２】実施の形態１に係る空気調和機の室外機の内部を示す斜視図である。
【図３】電気品箱を左上方から概略的に示す斜視図である。
【図４】電気品箱を右上方から概略的に示す斜視図である。
【図５】電気品箱を概略的に示す正面図である。
【図６】電気品箱を概略的に示す平面図である。
【図７】電気品箱を概略的に示す右側面図である。
【図８】室外機の内部における各部材の相対的な位置関係を概念的に示す分解斜視図である。
【図９】室外機の内部における各部材の相対的な位置関係を概念的に示す斜視図である。
【図１０】室外機の内部における各部材の相対的な位置関係を概念的に示す正面図である。
【図１１】室外機の内部における各部材の相対的な位置関係を概念的に示す平面図である。
【図１２】実施の形態２に係る室外機の内部における各部材の相対的な位置関係を概念的に示す分解斜視図である。
【図１３】実施の形態２に係る係止部材を被係止部材に係止させる前の状態を示す図である。
【図１４】実施の形態２に係る係止部材と被係止部材の係止状態を示す図である。
【発明を実施するための形態】
【００１０】
以下、本発明に係る空気調和機の室外機の実施の形態を、図面を参照して説明する。本発明は、以下の実施の形態に限定されるものではなく、本発明の主旨を逸脱しない範囲で種々に変形することが可能である。また、本発明は、以下の各実施の形態に示す構成のうち、組合せ可能な構成のあらゆる組合せを含むものである。また、図面に示す空気調和機の室外機は、本発明の空気調和機の室外機が適用される機器の一例を示すものであり、図面に示された空気調和機の室外機によって本発明の適用機器が限定されるものではない。また、以下の説明において、理解を容易にするために方向を表す用語（例えば「上」、「下」、「右」、「左」、「前」、「後」など）を適宜用いるが、これらは説明のためのものであって、本発明を限定するものではない。また、各図において、同一の符号を付したものは、同一の又はこれに相当するものであり、これは明細書の全文において共通している。なお、各図面では、各構成部材の相対的な寸法関係又は形状等が実際のものとは異なる場合がある。
【００１１】
実施の形態１．
図１は、実施の形態１に係る空気調和機の室外機の斜視図である。室外機１の筐体１０は、天面パネル１１と、風路側正面パネル１２と、機械室正面パネル１３と、機械室側面パネル１４とを有している。天面パネル１１は室外機１の上部に配置されている。風路側正面パネル１２は、筐体１０の前面において、後述する風路室側に配置されている。機械室正面パネル１３は、筐体１０の前面において、後述する機械室側に配置されている。本実施の形態１では、風路側正面パネル１２は室外機１の前面視で左側に配置され、機械室正面パネル１３は室外機１の前面視で右側に配置されている。機械室側面パネル１４は、筐体１０は、室外機１の前面視で筐体１０の右側面に配置され、室外機１の右側面、及び背面の一部を覆っている。
【００１２】
図２は、実施の形態１に係る空気調和機の室外機の内部を示す斜視図である。図２では、天面パネル１１、風路側正面パネル１２、機械室正面パネル１３、及び機械室側面パネル１４を取り外した室外機１を示している。室外機１は、圧縮機２０と、上部ファン３１と、下部ファン３２と、熱交換器４０と、電気品箱５０と、セパレータ６０とを有している。筐体１０の内部は、セパレータ６０により第１室である機械室１Ａと第２室である風路室１Ｂとに区画されている。機械室１Ａと風路室１Ｂは室外機１の前面視で横方向に並んでいる。機械室１Ａは室外機１の前面視で右側に位置し、風路室１Ｂは室外機１の前面視で左側に位置している。上部ファン３１、下部ファン３２、熱交換器４０、電気品箱５０は、筐体１０の内部に設けられている。
【００１３】
上部ファン３１及び下部ファン３２は風路室１Ｂに配置されている。上部ファン３１及び下部ファン３２はプロペラファンである。風路室１Ｂには、ファンモータ固定板金３０が配置されている。ファンモータ固定板金３０は、室外機１の底部に配置されたベース７０に固定されている。上部ファン３１のモータ及び下部ファン３２のモータは、ファンモータ固定板金３０に固定されている。上部ファン３１は室外機１の上部に配置され、下部ファン３２は室外機１の下部に配置されている。圧縮機２０は、機械室１Ａに配置されている。圧縮機２０は、ベース７０に載置されている。上部ファン３１及び下部ファン３２と、圧縮機２０とは、室外機１の前面視において横方向に並んで配置されている。
【００１４】
熱交換器４０は、上部ファン３１及び下部ファン３２の駆動により供給される空気と、冷媒との間で熱交換させる機能を有している。熱交換器４０は、平面視でＬ字状を有しており、室外機１の背面及び前面視で左側面に位置している。熱交換器４０はベース７０に載置されている。
【００１５】
電気品箱５０は、全体として略直方体の形状を有する箱形の部材である。電気品箱５０には、室外機１の各部の制御を行う制御基板、及び室外機１と空気調和機の室内機との間で通信を行う通信基板が収容されている。電気品箱５０は、熱交換器４０の前面、かつセパレータ６０の上方に配置されている。
【００１６】
図３は、電気品箱を左上方から概略的に示す斜視図である。図４は、電気品箱を右上方から概略的に示す斜視図である。図５は、電気品箱を概略的に示す正面図である。図６は、電気品箱を概略的に示す平面図である。図７は、電気品箱を概略的に示す右側面図である。電気品箱５０は、略直方体の部材であり、天面部５１と、前面部５２と、背面部５３と、底面部５４と、右側面部５５と、左側面部５６とを有している。図３は、電気品箱５０を天面部５１及び左側面部５６の側から示している。後述するように、室外機１の内部において、前面部５２は室外機１の前面の側に位置し、背面部５３は室外機１の背面の側に位置し、室外機１を前面視したとき、右側面部５５は右側に位置し、左側面部５６は左側に位置している。
【００１７】
第１位置決め部材１０１は、電気品箱５０の天面部５１に配置されている。第１位置決め部材１０１は、第１板部１０１Ａと第２板部１０１Ｂとを有している。第１板部１０１Ａは、電気品箱５０の天面部５１に当接しており、前面部５２から背面部５３へ向かう方向に沿って、電気品箱５０から離れる方向に延びている。第２板部１０１Ｂは、第１板部１０１Ａと直角に交差し、下方向に延びている。図７に示されるように、第１位置決め部材１０１は、側面視でＬ字状の形状を有している。そして、第１位置決め部材１０１の第２板部１０１Ｂと、背面部５３との間には間隔が形成されている。本実施の形態１において、間隔の長さＬ１は、上述の熱交換器４０の厚みよりもわずかに大きく設定されている。第１位置決め部材１０１には、密着曲げ加工が施されている。
【００１８】
第１板部１０１Ａは、電気品箱５０に不図示のビス等の固定部材により固定されている。第１板部１０１Ａを固定している固定部材を取り外すことにより、第１位置決め部材１０１を電気品箱５０から取り外すことができる。すなわち、第１位置決め部材１０１は、電気品箱５０に対して着脱可能な部材である。
【００１９】
第２位置決め部材１０２は、電気品箱５０の底面部５４に設けられている。第２位置決め部材１０２は板状部材である。図５及び図７に示すように、第２位置決め部材１０２は、底面部５４から下方向に向かって突出している。図３及び図７に示すように、第２位置決め部材１０２は、電気品箱５０の前後方向、すなわち室外機１の前後方向に延びている。換言すると、第２位置決め部材１０２は、右側面部５５及び左側面部５６と平行に延びている。図７に示すように、第２位置決め部材１０２は、底面部５４において左側面部５６から長さＬ２だけ離れた位置に設けられている。本実施の形態１において、長さＬ２は、上述のセパレータ６０の厚みよりも僅かに大きく設定されている。
【００２０】
第２位置決め部材１０２は、電気品箱５０の底面部５４において、背面部５３よりも前面部５２に近い側に形成されている。
【００２１】
第２位置決め部材１０２は、底面部５４と一体成型されていてもよい。また、電気品箱５０とは別体の部材を、例えばネジ若しくは接着剤により底面部５４に固定して第２位置決め部材１０２を構成してもよい。
【００２２】
図８は、室外機１の内部における各部材の相対的な位置関係を概念的に示す分解斜視図である。図８は、室外機１の左上方から、熱交換器４０、電気品箱５０、セパレータ６０、及びベース７０を示している。図９は、室外機１の内部における各部材の相対的な位置関係を概念的に示す斜視図である。図９は、室外機１の右上方から、熱交換器４０、電気品箱５０、セパレータ６０、及びベース７０を示している。図１０は、室外機１の内部における各部材の相対的な位置関係を概念的に示す正面図である。図１１は、室外機１の内部における各部材の相対的な位置関係を概念的に示す平面図である。
【００２３】
図８に示すように、セパレータ６０は、第１面６０Ａと第２面６０Ｂとを含んでいる。第１面６０Ａと第２面６０Ｂは互いに交差しており、セパレータ６０は平面視でＬ字状の形状を有している。第１面６０Ａは室外機１の前後方向に延び、第２面６０Ｂは、室外機１の背面側において、第１面６０Ａから室外機１の右側面へ向かう方向へ延びている。第１面６０Ａは、熱交換器４０の前面に位置している。
【００２４】
図９及び図１１に示すように、熱交換器４０の上端部は、第１位置決め部材１０１の第２板部１０１Ｂと電気品箱５０とにより挟持されている。上述のように、熱交換器４０は、ベース７０に載置されている。第１位置決め部材１０１は電気品箱５０の天面部５１に固定されている。従って、熱交換器４０の上端部を、第２板部１０１Ｂと電気品箱５０とにより挟持することにより、電気品箱５０に前面部５２から外力が加えられても、電気品箱５０が背面側へずれることが抑制される。また、電気品箱５０に背面部５３から外力が加えられても、電気品箱５０が前面側へずれることが抑制される。すなわち、熱交換器４０の上端部を、第２板部１０１Ｂと電気品箱５０とにより挟持することにより、室外機１の前後方向における電気品箱５０の配置位置が定まる。
【００２５】
図１０に示すように、第２位置決め部材１０２は、機械室１Ａに位置しており、機械室１Ａの側からセパレータ６０の第１面６０Ａに当接している。従って、電気品箱５０に右側面部５５から外力が加えられても、電気品箱５０が風路室１Ｂへずれることが抑制される。すなわち、横方向における電気品箱５０の配置位置が定まる。
【００２６】
図９及び図１０に示すように、電気品箱５０は、上述のように第１位置決め部材１０１及び第２位置決め部材１０２により位置決めされた状態で、セパレータ６０に載置されている。詳述すると、電気品箱５０の底面部５４において、左側面部５６と連続している端部及び背面部５３と連続している端部が、セパレータ６０の上端部と当接している。換言すると、電気品箱５０は、第１位置決め部材１０１とセパレータ６０とに挟持されている。従って、電気品箱５０に天面部５１から外力が加えられても、電気品箱５０が下方向へずれることが抑制され、電気品箱５０に底面部５４から外力が加えられても、電気品箱５０が上方向へずれることが抑制される。すなわち、室外機１の上下方向における電気品箱５０の配置位置が定まる。
【００２７】
上述のように、第２位置決め部材１０２は、底面部５４において左側面部５６から、セパレータ６０の厚みよりも僅かに大きく設定された長さＬ２だけ離れた位置に設けられている。従って、電気品箱５０が第２位置決め部材１０２により、横方向において位置決めされると、図１０に示すように、電気品箱５０の左側面部５６の風路室１Ｂ側の面と、セパレータ６０の第１面６０Ａの風路室１Ｂ側の面が、略同一平面を形成する。すなわち、電気品箱５０を第２位置決め部材１０２により位置決めすることにより、電気品箱５０の左側面部５６が、セパレータ６０と共に、筐体１０内を機械室１Ａと風路室１Ｂとに区画することとなる。
【００２８】
電気品箱５０の室外機１への設置は以下のように行われる。電気品箱５０に第１位置決め部材１０１が固定された状態で、図８に示すように、熱交換器４０及びセパレータ６０の上方、かつセパレータ６０の右方向から、電気品箱５０を熱交換器４０及びセパレータ６０へ近づける。そして、第２位置決め部材１０２をセパレータ６０の第１面６０Ａに当接させる。また、図７に示す第１位置決め部材１０１の第２板部１０１Ｂと電気品箱５０の背面部５３の間隙に、熱交換器４０の上端部を挿入させる。その結果、上述のように、室外機１の上下方向、前後方向、及び横方向における電気品箱５０の位置が決まり、電気品箱５０が仮固定される。そして、仮固定された電気品箱５０をネジ止め等により、熱交換器４０及びセパレータ６０に固定する。
【００２９】
本実施の形態１によれば、電気品箱５０を固定する前の仮固定の行程において、第１位置決め部材１０１及び第２位置決め部材１０２により、電気品箱５０の位置決めが容易に行える。すなわち、電気品箱５０を仮固定する際の位置決め精度を向上させることができる。従って、電気品箱５０を室外機１に設置する際の作業性が向上する。
【００３０】
本実施の形態１によれば、第１位置決め部材１０１の第２板部１０１Ｂと電気品箱５０の背面部５３との間に間隙が形成されている。そして、電気品箱５０を固定する前の仮固定の行程において、作業者に求められるのは、第２板部１０１Ｂと背面部５３の間隙を熱交換器４０の上端部を位置づけ、当該間隙に熱交換器４０の上端部を挿入させるという作業である。すなわち、作業者は、熱交換器４０の上方において電気品箱５０をおおよその位置に位置づけ、そのまま電気品箱５０を熱交換器４０へ向かって降ろす。次いで、第２板部１０１Ｂを熱交換器４０の上端部に接触させたまま、電気品箱５０の位置を前後方向において微調整すれば、熱交換器４０の上端部を第２板部１０１Ｂと背面部５３の間隙に挿入させることができる。すなわち、作業者は電気品箱５０の背面を目視する必要がなく、手元の感覚のみで、電気品箱５０を容易に仮固定することができる。
【００３１】
本実施の形態１によれば、第１位置決め部材１０１及び第２位置決め部材１０２により、電気品箱５０をネジ止め等により固定する作業中、仮固定した位置から電気品箱５０がずれることが抑制されている。従って、電気品箱５０の固定作業を安定して行うことができ、電気品箱５０を室外機１に設置する際の作業性が向上する。
【００３２】
本実施の形態１によれば、電気品箱５０は、第１位置決め部材１０１及び第２位置決め部材１０２により仮固定された状態において、セパレータ６０に載置されている。従って、作業中に電気品箱５０を安定的に支持することができる。
【００３３】
本実施の形態１によれば、第１位置決め部材１０１の第１板部１０１Ａとセパレータ６０で、電気品箱５０は上下方向において挟持されている。従って、作業中の電気品箱５０の落下を抑制することができる。
【００３４】
本実施の形態１によれば、第２位置決め部材１０２は、電気品箱５０の底面部５４において、背面部５３よりも前面部５２に近い側に形成されている。従って、室外機１の前方から目視しながら第２位置決め部材１０２をセパレータ６０に当接させることができ、作業が容易に行える。
【００３５】
第１位置決め部材１０１には密着曲げ加工が施されている。従って、電気品箱５０を仮固定する際、及び、第１位置決め部材１０１を取り外す際、第１位置決め部材１０１が他の部材に接触しても、第１位置決め部材１０１により他の部材が切削されることが抑制される。
【００３６】
本実施の形態１は、電気品箱５０を仮固定する作業を例にとって説明したが、これに限るものではない。室外機１の修理、若しくはメンテナンス作業において、すなわち、室外機１を据え付けた後のサービス作業においても、同様の効果が得られる。
【００３７】
実施の形態２．
図１２は、実施の形態２に係る室外機の内部における各部材の相対的な位置関係を概念的に示す分解斜視図である。図１２において、図１〜図１１を参照して説明した実施の形態１の構成要素と同一の構成要素には同一の符号が付されている。また、以降の説明において、実施の形態１の構成要素と同一の符号を使用している構成要素も、図１〜図１１を参照して説明した実施の形態１の構成要素と同一の構成要素である。実施の形態１の構成要素と同一の構成要素について、詳細な説明は省略する。
【００３８】
本実施の形態２において、セパレータ６０の第１面６０Ａには、２つの爪１１０が設けられている。爪１１０は、第１面６０Ａの一部を切り欠き、機械室１Ａ側に立ち上げて形成されている。２つの爪１１０は、第１面６０Ａにおいて、前後方向に並んで設けられている。また、電気品箱５０の第２位置決め部材１０２には、２つの開口部１２０が形成されている。２つの開口部１２０は、第２位置決め部材１０２において、前後方向に並んで形成されている。前後方向における２つの爪１１０の間隔と２つの開口部１２０の間隔は略同一である。
【００３９】
図１３は、実施の形態２に係る係止部材を被係止部材に係止させる前の状態を示す図である。図１４は、実施の形態２に係る係止部材と被係止部材の係止状態を示す図である。第２位置決め部材１０２をセパレータ６０の第１面６０Ａへ近づけ、爪１１０を開口部１２０に挿入させ、電気品箱５０を下方にずらす。その結果、爪１１０は開口部１２０の上部に引っかかり、第２位置決め部材１０２はセパレータ６０に係止する。
【００４０】
本実施の形態２によれば、爪１１０と開口部１２０の係止により、上下方向及び前後方向のずれが抑制される。従って、電気品箱５０の仮固定の確実性がより向上する。
【符号の説明】
【００４１】
１  室外機、１Ａ  機械室、１Ｂ  風路室、１０  筐体、１１  天面パネル、１２  風路側正面パネル、１３  機械室正面パネル、１４  機械室側面パネル、２０  圧縮機、３０  ファンモータ固定板金、３１  上部ファン、３２  下部ファン、４０  熱交換器、５０  電気品箱、５１  天面部、５２  前面部、５３  背面部、５４  底面部、５５  右側面部、５６  左側面部、６０  セパレータ、６０Ａ  第１面、６０Ｂ  第２面、７０  ベース、１０１  第１位置決め部材、１０１Ａ  第１板部、１０１Ｂ  第２板部、１０２  第２位置決め部材、１１０  爪、１２０  開口部。
【図１】
2020208675.tif 000003
【図２】
2020208675.tif 000004
【図３】
2020208675.tif 000005
【図４】
2020208675.tif 000006
【図５】
2020208675.tif 000007
【図６】
2020208675.tif 000008
【図７】
2020208675.tif 000009
【図８】
2020208675.tif 000010
【図９】
2020208675.tif 000011
【図１０】
2020208675.tif 000012
【図１１】
2020208675.tif 000013
【図１２】
2020208675.tif 000014
【図１３】
2020208675.tif 000015
【図１４】
2020208675.tif 000016
【手続補正書】
【提出日】令和3年4月22日(2021.4.22)
【手続補正１】
【補正対象書類名】明細書
【補正対象項目名】０００７
【補正方法】変更
【補正の内容】
【０００７】
本発明に係る空気調和機の室外機は、筐体と、前記筐体の内部に設けられる熱交換器と、前記筐体の内部に設けられる電気品箱と、前記筐体の内部を第１室と第２室とを区画するセパレータと、を有する空気調和機の室外機であって、前記セパレータは前記熱交換器の前面に配置され、前記第１室と前記第２室は前記室外機の前面視で横方向に並んでおり、前記電気品箱は、前記熱交換器の前面、前記第１室の内部、かつ前記セパレータの上方に配置されており、前記電気品箱に配置され、前記熱交換器に対する上下方向及び前後方向における前記電気品箱の配置位置を決める第１位置決め部材と、前記電気品箱の底面に設けられ、前記セパレータに対する前記横方向における前記電気品箱の位置を決める第２位置決め部材とを有し、前記第２位置決め部材は、前記電気品箱の、前記室外機を前面視したとき左側に位置する左側面部から前記第１室側に所定の長さだけ離れた位置に設けられており、前記第１室側から前記セパレータに当接しているものである。
【手続補正２】
【補正対象書類名】特許請求の範囲
【補正対象項目名】全文
【補正方法】変更
【補正の内容】
【特許請求の範囲】
【請求項１】
筐体と、前記筐体の内部に設けられる熱交換器と、前記筐体の内部に設けられる電気品箱と、前記筐体の内部を第１室と第２室とを区画するセパレータと、を有する空気調和機の室外機であって、
前記セパレータは前記熱交換器の前面に配置され、
前記第１室と前記第２室は前記室外機の前面視で横方向に並んでおり、
前記電気品箱は、前記熱交換器の前面、前記第１室の内部、かつ前記セパレータの上方に配置されており、
前記電気品箱に配置され、前記熱交換器に対する上下方向及び前後方向における前記電気品箱の配置位置を決める第１位置決め部材と、
前記電気品箱の底面に設けられ、前記セパレータに対する前記横方向における前記電気品箱の位置を決める第２位置決め部材とを有し、
前記第２位置決め部材は、前記電気品箱の、前記室外機を前面視したとき左側に位置する左側面部から前記第１室側に所定の長さだけ離れた位置に設けられており、前記第１室側から前記セパレータに当接している空気調和機の室外機。
【請求項２】
前記電気品箱は前記セパレータの上端部に載置されている請求項１に記載の空気調和機の室外機。
【請求項３】
前記第１位置決め部材は、
前記電気品箱の天面に当接し、前記前後方向に沿って延びる第１板部と、前記第１板部と交差し、下方向に延びる第２板部とを有し、
前記電気品箱と前記第２板部とにより前記熱交換器の上端部が挟持されている請求項１又は２に記載の空気調和機の室外機。
【請求項４】
前記第２位置決め部材は、前記電気品箱の底面から下方向に向かって突出した板状部材であり、
前記第２位置決め部材は、前記セパレータに当接している請求項１〜３のいずれか一項に記載の空気調和機の室外機。
【請求項５】
前記第２位置決め部材は、前記電気品箱の前記底面において、前記電気品箱の背面よりも前記電気品箱の前面に近い側に形成されている請求項４に記載の空気調和機の室外機。
【請求項６】
前記第２位置決め部材と前記セパレータは一方が他方に係止している請求項５に記載の空気調和機の室外機。
【請求項７】
前記第２位置決め部材に開口部が形成され、前記セパレータに爪が設けられ、前記爪が前記開口部に係止している請求項６に記載の空気調和機の室外機。
【請求項８】
前記所定の長さは、前記セパレータの厚みより大きい、請求項１〜７のいずれか一項に記載の空気調和機の室外機。
【国際調査報告】
2020208675.tif 000017
2020208675.tif 000018
2020208675.tif 000019
2020208675.tif 000020